(57)【要約】【課題】  図形と文字の両方を同一表示面上に容易かつ奇麗に表示できるようにするとともに、一般的なノート紙等と同等の感覚で使用できるようにする。【解決手段】  罫線（主罫線）Ｌｈ…を縦方向又は横方向へ一定間隔おきに表示してなる罫線付表示面１を構成するに際して、主罫線Ｌｈ…に加えて、当該主罫線Ｌｈ…に対して直交方向の副罫線Ｌｖ…を主罫線Ｌｈ…の方向へ一定間隔おきに表示し、かつ当該副罫線Ｌｖ…を主罫線Ｌｈ…よりも目立たない線種Ｆにより表示するとともに、主罫線Ｌｈ…の相互間及び／又は副罫線Ｌｖ…の相互間に少なくとも一本以上の補助罫線Ｌｈｓ…，Ｌｖｓ…を表示し、当該補助罫線Ｌｈｓ…，Ｌｖｓ…を、副罫線Ｌｖ…と同じ線種Ｆにより又は副罫線Ｌｖ…よりも目立ない線種Ｆにより表示する。【選択図】  図１
2011025529.tif 000002
【特許請求の範囲】
【請求項１】
罫線（主罫線）を縦方向又は横方向へ一定間隔おきに表示してなる罫線付表示面において、前記主罫線に加えて、当該主罫線に対して直交方向の副罫線を前記主罫線の方向へ一定間隔おきに表示し、かつ当該副罫線を前記主罫線よりも目立たない線種により表示するとともに、前記主罫線の相互間及び／又は前記副罫線の相互間に少なくとも一本以上の補助罫線を表示し、当該補助罫線を、前記副罫線と同じ線種により又は前記副罫線よりも目立ない線種により表示してなることを特徴とする罫線付表示面。
【請求項２】
前記目立たない線種は、濃さを前記主罫線よりも薄くすること，実線を用いた前記主罫線に対して点線を用いること，太さを前記主罫線よりも細くすること，前記主罫線に対して異なる色を用いること，の少なくとも一つを用いることを特徴とする請求項１記載の罫線付表示面。
【請求項３】
前記副罫線同士の間隔は、前記主罫線同士の間隔と同じにすることを特徴とする請求項１又は２記載の罫線付表示面。
【請求項４】
少なくともノート用紙の表示面又はコンピュータ用ディスプレイの表示面に適用してなることを特徴とする請求項１，２又は３記載の罫線付表示面。
【発明の詳細な説明】
【技術分野】
【０００１】
本発明は、罫線を縦方向又は横方向へ一定間隔おきに表示してなる罫線付表示面の改良に関する。
【背景技術】
【０００２】
一般に、用紙面の片面又は両面に、横罫線を縦方向へ一定間隔おきに表示したノート用紙は広く知られている。しかし、このような一般的なノート用紙は、横罫線のみのため、均整の取れた文字を整列させて書くことが容易でないとともに、文字以外の図形や計算式を奇麗に書きにくいなどの欠点を有する。
【０００３】
一方、従来、これらの欠点に対処したノート用紙も提案されており、例えば、特許文献１には、線引きノートの各罫線を、文字の大きさに合った長さで区切り、その位置をとぎれ目盛とすることにより、文字を縦横美しく並んで書け、図面も長さを計らずに簡単に書くことができるようにした罫線のとぎれ目で目盛を表した線引きノートが開示され、また、特許文献２には、第１組〜第３組の計算用用紙等を備える第１の計算用ノートであって、第１組及び第２組の計算用用紙等には、方眼紙等が記載され、方眼紙で表された第１組の計算用用紙の各升目は、第２組の計算用用紙の各升目と同一の大きさであり、第２組の計算用用紙の方眼紙は、第１組の計算用用紙の方眼紙よりも細くて不明瞭であり、第３組の計算用用紙には横罫線が記載されているが、縦罫線が記載されていない計算用組用紙（計算用ノート，計算用組ノート）が開示されている。
【先行技術文献】
【特許文献】
【０００４】
【特許文献１】実用新案登録第３０２２１８８号公報
【特許文献２】実用新案登録第３１０８７１５号公報
【発明の概要】
【発明が解決しようとする課題】
【０００５】
しかし、上述した従来のノート用紙は、次のような問題点があった。
【０００６】
即ち、学校等でノート（ノート用紙）を使用する際に、統計等のグラフとその説明文等のように、図形と文字（文章）を同一紙面上に一緒に書く場合も少なくないが、従来のノート用紙では、図形と文字の両方を、同一紙面上に奇麗に書いたり効率的（容易）に書くことにおいて、必ずしも十分であるとは言えない難点があった。
【０００７】
例えば、特許文献１の場合、横罫線上に一定間隔おきに空白点が生じるため、この空白点を目安に文字の間隔を揃えることはできても、文字の大きさを均一化するのは容易でないとともに、空白点を目安に図形を描くにしても直線を奇麗に引く際の目安にはなりにくい。また、特許文献２の場合、いわば別々に用意した通常の方眼紙（升目）と横罫線のみの一般的なノート紙を組合わせて綴じたため、方眼紙とノート紙の２冊を用意する必要がなく１冊で済むという利点はあるものの、方眼紙とノート紙の各機能は、従来より広く知られている一般的な方眼紙とノート紙の域を出るものではない。
【０００８】
本発明は、このような背景技術に存在する課題を解決した罫線付表示面の提供を目的とするものである。
【課題を解決するための手段】
【０００９】
本発明に係る罫線付表示面１は、上述した課題を解決するため、罫線（主罫線）Ｌｈ…（又はＬｖ…）を縦方向又は横方向へ一定間隔おきに表示してなる罫線付表示面１を構成するに際して、主罫線Ｌｈ…（又はＬｖ…）に加えて、当該主罫線Ｌｈ…（又はＬｖ…）に対して直交方向の副罫線Ｌｖ…（又はＬｈ…）を主罫線Ｌｈ…（又はＬｖ…）の方向へ一定間隔おきに表示し、かつ当該副罫線Ｌｖ…（又はＬｈ…）を主罫線Ｌｈ…（又はＬｖ…）よりも目立たない線種Ｆにより表示するとともに、主罫線Ｌｈ…（又はＬｖ…）の相互間及び／又は副罫線Ｌｖ…（又はＬｈ…）の相互間に少なくとも一本以上の補助罫線Ｌｈｓ…，Ｌｖｓ…を表示し、当該補助罫線Ｌｈｓ…，Ｌｖｓ…を、副罫線Ｌｖ…（又はＬｈ…）と同じ線種Ｆにより又は副罫線Ｌｖ…（又はＬｈ…）よりも目立ない線種Ｆにより表示してなることを特徴とする。
【００１０】
この場合、発明の好適な態様により、目立たない線種Ｆには、濃さを主罫線Ｌｈ…（又はＬｖ…）よりも薄くすること，実線を用いた主罫線Ｌｈ…（又はＬｖ…）に対して点線を用いること，太さを主罫線Ｌｈ…（又はＬｖ…）よりも細くすること，主罫線Ｌｈ…（又はＬｖ…）に対して異なる色を用いること，の少なくとも一つを用いることができる。なお、副罫線Ｌｖ…（又はＬｈ…）同士の間隔は、主罫線Ｌｈ…（又はＬｖ…）同士の間隔と同じにすることができる。また、罫線付表示面１は、少なくともノート用紙Ｎの表示面又はコンピュータ用ディスプレイの表示面に適用することができる。
【発明の効果】
【００１１】
このような構成を有する本発明に係る罫線付表示面１によれば、次のような顕著な効果を奏する。
【００１２】
（１）  図形と文字を同一表示面上に一緒に書く場合でも、図形と文字の両方を奇麗に書くことができるとともに、効率的（容易）に書くことができる。したがって、学校等で使用するノート用紙（ノート）Ｎ等に用いて最適であり、特に、小学校教育においては、一次元的な発想から二次元的・三次元的な創造性への思考範囲を拡大させることにより創造性を重視した学習環境を創出できるとともに、中学校教育においては、視覚的・時系列的な表現法を促す学習効果を得ることができる。加えて、図形と文字を効率的且つ的確に表現できるため、ビジネスや一般的な使用においてもそのメリットを十分に享受することができる。
【００１３】
（２）  主罫線Ｌｈ…（又はＬｖ…）のみを用いた一般的なノート紙等と同等の感覚で使用することができ、使い勝手を損なうことがない。また、書いた後の見易さにおいても、副罫線Ｌｖ…（又はＬｈ…）を追加したことに伴う煩雑感や違和感を排除できるため、一般的なノート紙等と同等の見易さを確保することができる。
【００１４】
（３）  補助罫線Ｌｈｓ…及び／又はＬｖｓ…を表示してなるため、図形と文字の両方を奇麗（均整）にかつ効率的（容易）に書くことができるパフォーマンスをより高めることができる。
【００１５】
（４）  好適な態様により、目立たない線種Ｆとして、濃さを薄くすること，実線を用いた主罫線Ｌｈ…（又はＬｖ…）に対して点線を用いること，太さを細くすること，異なる色を用いること，の少なくとも一つを用いれば、これらの選択又は組合わせにより、用途や目的に応じて、より最適化及び多様化した罫線付表示面１を得ることができる。
【００１６】
（５）  好適な態様により、副罫線Ｌｖ…（又はＬｈ…）同士の間隔を、主罫線Ｌｈ…（又はＬｖ…）同士の間隔と同じにすれば、一升を正方形にできるため、奇麗（均整）な文字を書く観点からの最適化を図ることができる。
【図面の簡単な説明】
【００１７】
【図１】本発明の好適実施形態に係る罫線付表示面を有するノート用紙の一部分を示す紙面図（図５のＡ範囲）、
【図２】同ノート用紙の使用状態を示す一部分の紙面図、
【図３】同ノート用紙の他の使用状態を示す一部分の紙面図、
【図４】本発明の変更実施形態に係る罫線付表示面を有するノート用紙の一部分を示す紙面図、
【図５】本発明の好適実施形態に係る罫線付表示面を有するノート用紙の全体を示す紙面図、
【発明を実施するための形態】
【００１８】
次に、本発明に係る好適実施形態を挙げ、図面に基づき詳細に説明する。
【００１９】
まず、本実施形態に係る罫線付表示面１を有するノート用紙Ｎの構成について、図１及び図５を参照して説明する。
【００２０】
図５は、ノート用紙Ｎの全体の紙面を示す。ノート用紙Ｎは一般的なＡ４サイズによる用紙面Ｐｆを有し、この用紙面Ｐｆには、縦方向へ一定間隔おきに配した複数の横罫線（主罫線）Ｌｈ…を表示するとともに、本発明に従って追加する横方向へ一定間隔おきに配した複数の縦罫線（副罫線）Ｌｖ…を表示する。さらに、各横罫線Ｌｈ…の相互間の中央にはそれぞれ一本の横補助罫線Ｌｈｓ…を表示するとともに、各縦罫線Ｌｖ…の相互間の中央にはそれぞれ一本の縦補助罫線Ｌｖｓ…を表示する。
【００２１】
図１は、図５のＡ範囲を拡大し罫線付表示面１を示す。例示の場合、横罫線Ｌｈ…は、薄い青色（水色）による線幅が０．２〔ｍｍ〕の実線であり、各横罫線Ｌｈ…は、７〔ｍｍ〕間隔により表示する。また、縦罫線Ｌｖ…は、横罫線Ｌｈと同じ薄い青色による線幅が０．１〔ｍｍ〕の点線であり、各縦罫線Ｌｖ…は、７〔ｍｍ〕間隔により表示する。したがって、縦罫線Ｌｖ…同士の間隔は、横罫線Ｌｈ…同士の間隔と同じになるため、縦罫線Ｌｖ…と横罫線Ｌｈ…により区画される升は正方形となる。本実施形態に係る罫線付表示面１は、一般的なノート紙における横罫線Ｌｈ…のみによる表示パターンに対して、横方向へ一定間隔おきに表示する縦罫線Ｌｖ…を追加した基本形態を有する。例示の場合、縦罫線Ｌｖ…の線種Ｆは、横罫線Ｌｈ…に対して同一色となるが、１／２の線幅による点線を用いる。即ち、縦罫線Ｌｖ…は、横罫線Ｌｈ…よりも目立たない線種Ｆにより表示される。
【００２２】
一方、横補助罫線Ｌｈｓ…は、縦罫線Ｌｖと同じ薄い青色を用いた線幅が０．１〔ｍｍ〕となる点線であり、各横補助罫線Ｌｈｓ…は、７〔ｍｍ〕間隔により表示する。また、縦補助罫線Ｌｖｓ…は、横補助罫線Ｌｈｓと同じ薄い青色を用いた線幅が０．１〔ｍｍ〕となる点線であり、各縦補助罫線Ｌｖｓ…は、７〔ｍｍ〕間隔により表示する。したがって、横補助罫線Ｌｈｓ…同士の間隔と縦補助罫線Ｌｖｓ…同士の間隔は同じになり、横補助罫線Ｌｈｓ…と縦補助罫線Ｌｖｓ…により区画される升は正方形となる。横補助罫線Ｌｈｓ…及び縦補助罫線Ｌｖｓ…は、縦罫線Ｌｖと同じ罫線（同じ線種Ｆ）により表示する。なお、例示は、横補助罫線Ｌｈｓ…及び縦補助罫線Ｌｖｓ…を、縦罫線Ｌｖと同じ線種Ｆにより表示したが、縦罫線Ｌｖよりも更に目立ない線種Ｆにより表示してもよい。本実施形態に係る罫線付表示面１は、横罫線Ｌｈ…と横補助罫線Ｌｈｓ…が３．５〔ｍｍ〕間隔で縦方向へ交互に配されるとともに、縦罫線Ｌｖ…と縦補助罫線Ｌｖｓ…が３．５〔ｍｍ〕間隔で横方向へ交互に配される。
【００２３】
次に、本実施形態に係る罫線付表示面１を有するノート用紙Ｎの使用方法について、図２及び図３を参照して説明する。
【００２４】
図２は、文字（文章）ＷｏとグラフＩｍを一緒に書いた例を示す。この場合、文字Ｗｏは、横罫線Ｌｈ…と縦罫線Ｌｖ…で区画される一辺が７〔ｍｍ〕の升内に一文字を書き入れることができる。したがって、書き入れるに際しては、各文字の大きさを、横罫線Ｌｈ…と縦罫線Ｌｖ…を目安にして整列させることができるとともに、各文字の形は、横補助罫線Ｌｈｓ…及び縦補助罫線Ｌｖｓ…を目安にして均整化することができる。また、グラフＩｍは、棒グラフを例示するが、この場合、縦罫線Ｌｖ…と縦補助罫線Ｌｖｓ…を利用して縦線を引くことができるとともに、横罫線Ｌｈ…と横補助罫線Ｌｈｓ…を利用して横線を引くことができる。
【００２５】
図３は、算数の数式Ｃｅを書いた例を示す。この場合、横罫線Ｌｈ…と縦罫線Ｌｖ…で区画される一辺が７〔ｍｍ〕の升内に一数字を書き入れることができる。また、「＋」や「−」等の記号も横補助罫線Ｌｈｓ…及び縦補助罫線Ｌｖｓ…を利用して奇麗に書くことができる。もちろん、このような数式Ｃｅに加えて、図２に示した文字ＷｏやグラフＩｍを同一紙面上に一緒に書くこともできる。
【００２６】
よって、このような本実施形態に係る罫線付表示面１によれば、図形と文字を同一表示面上に一緒に書く場合でも、図形と文字の両方を奇麗に書くことができるとともに、効率的（容易）に書くことができる。また、横罫線Ｌｈ…のみを用いた一般的なノート紙等と同等の感覚で使用することができ、使い勝手を損なうことがない。さらに、書いた後の見易さにおいても、縦罫線Ｌｖ…を追加したことに伴う煩雑感や違和感を排除できるため、一般的なノート紙等と同等の見易さを確保することができる。しかも、補助罫線Ｌｈｓ…及びＬｖｓ…を表示してなるため、図形と文字の両方を奇麗（均整）にかつ効率的（容易）に書くことができるパフォーマンスをより高めることができる。特に、縦罫線Ｌｖ…同士の間隔を、横罫線Ｌｈ…同士の間隔と同じにすれば、一升を正方形にできるため、奇麗（均整）な文字を書く観点からの最適化を図ることができる。
【００２７】
次に、本発明の変更実施形態に係る罫線付表示面１について、図４（ａ）〜（ｆ）を参照して説明する。
【００２８】
図４（ａ），（ｂ）は、縦罫線Ｌｖ…が主罫線となる場合の変更実施形態を示す。この場合、縦罫線（主罫線）Ｌｖ…に加えて、横罫線（副罫線）Ｌｈ…を縦方向へ一定間隔おきに表示し、かつ当該横罫線Ｌｈ…を縦罫線Ｌｖ…よりも目立たない線種Ｆにより表示するとともに、縦罫線Ｌｖ…の相互間及び／又は横罫線Ｌｈ…の相互間に少なくとも一本以上の補助罫線Ｌｈｓ…，Ｌｖｓ…を表示し、当該補助罫線Ｌｈｓ…，Ｌｖｓ…を、横罫線Ｌｈ…と同じ線種Ｆにより又は横罫線Ｌｈ…よりも目立ない線種Ｆにより表示する。したがって、この変更実施形態は、小学校等における国語のノート等に適用できる。この場合、図４（ａ）は、横罫線Ｌｈ…，縦補助罫線Ｌｖｓ…及び横補助罫線Ｌｈｓ…を全て点線により表示した例を示す。また、図４（ｂ）は、横罫線Ｌｈ…を実線で表示し、縦補助罫線Ｌｖｓ…と横補助罫線Ｌｈｓ…を点線で表示した例を示す。なお、同図（ｂ）の場合、実線で示す横罫線Ｌｈ…の線幅は０．１〔ｍｍ〕であってもよいが、目立つ度合いを点線の場合と同程度にするため、線幅を０．１〔ｍｍ〕よりも細くしたり、線の色を横罫線Ｌｈ…よりも薄い色にしてもよい。さらに、同図（ｂ）の場合、横罫線Ｌｈ…に実線を使用し、横補助罫線Ｌｈｓ…及び縦補助罫線Ｌｖｓ…に点線を使用するため、いわば異なる線種を混在させたものとなる。したがって、横罫線Ｌｈ…及び縦罫線Ｌｖ…の表示と横補助罫線Ｌｈｓ…及び縦補助罫線Ｌｖｓ…の表示を明確に区別できる。
【００２９】
一方、図４（ｃ）〜（ｆ）は、図１を基本とした変更実施形態であり、図４（ｃ）は、図１に対して、縦罫線Ｌｖ…，横補助罫線Ｌｈｓ…及び縦補助罫線Ｌｖｓ…を全て実線により表示した例を示し、図４（ｄ）は、図１に対して、縦罫線Ｌｖ…を実線により表示し、縦補助罫線Ｌｖｓ…を点線により二本表示するとともに、横補助罫線Ｌｈｓを表示しない例を示し、図４（ｅ）は、図１に対して、縦罫線Ｌｖ…を二本で表示した例を示し、図４（ｆ）は、図１に対して、縦罫線Ｌｖ…を実線で表示した例を示す。このような図４（ａ）〜（ｆ）に示すいずれの変更実施形態も本発明範囲に包含される。
【００３０】
本実施形態に係る罫線付表示面１では、目立たない線種Ｆとして、主に、実線を用いた主罫線Ｌｈ又はＬｖに対して点線を用いたり、太さを主横罫線Ｌｈ又はＬｖよりも細くした例を示したが、その他、濃さを主罫線Ｌｈ又はＬｖよりも薄くしたり、主罫線Ｌｈ又はＬｖに対して異なる色を用いてもよく、これらの選択により又は組合わせにより、用途や目的に応じて、より最適化及び多様化した罫線付表示面１を得ることができる。
【００３１】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。例えば、例示の用紙面Ｐｆは、片面のみを示したが、実施に際しては、片面のみであってもよいし、両面であってもよい。また、副罫線Ｌｖ…（又はＬｈ…）同士の間隔は、副罫線Ｌｈ…（又はＬｖ…）同士の間隔と同じにした例を示したが、必ずしも同じにすることを要しない。さらに、用紙面Ｐｆの大きさとしてＡ４サイズを例示したが、Ｂ５サイズ，手帳サイズ等の各種サイズに適用することができる。
【００３２】
一方、例示は、ノート用紙Ｎについて説明したが、同様の表示面となるコンピュータ用ディスプレイの表示面に対しても同様に適用することができる。即ち、この場合、本発明に係る罫線付表示面１をディスプレイの表示面（画面）に表示し、マウスやタッチペン等により手書入力するような場合にも前述したノート用紙Ｎの場合と同様に利用することができるとともに、同様の作用効果を得ることができる。
【産業上の利用可能性】
【００３３】
本発明に係る罫線付表示面１は、小学生等が使用する製本されたノートに用いて最適であるが、その他、リングノート，学習帳，ルーズリーフ，メモ帳，業務用ノート等、各種ノート類、さらにはコンピュータ用ディスプレイのように、罫線付表示面１を画像として表示する場合にも同様に利用することができる。
【符号の説明】
【００３４】
１：罫線付表示面，Ｎ：ノート用紙，Ｐｆ：用紙面，Ｌｈ…：主罫線，Ｌｖ…：副罫線，Ｆ：線種，Ｌｈｓ…：補助罫線，Ｌｖｓ…：補助罫線
【図１】
2011025529.tif 000003
【図２】
2011025529.tif 000004
【図３】
2011025529.tif 000005
【図４】
2011025529.tif 000006
【図５】
2011025529.tif 000007